(57)【特許請求の範囲】
【請求項１】
棚における棚板の上面左右方向に形成した溝部に、係合孔が複数穿設されたガイドレールを嵌合固定するとともに、前記係合孔と係合する突片が下面より突出された前後方向を向く仕切板と、該仕切板の後端より連設される支持板とからなる仕切部材を設け、前記係合孔と突片とが係合された時、前記支持板の後面側が、棚板の後側に立設される後面板に当接されるようになっていることを特徴とする棚における仕切部材取付装置。
【発明の詳細な説明】
【０００１】
【発明の属する技術分野】
本発明は、棚における仕切部材に関し、特に棚板上に仕切部材を載置可能とした棚における仕切部材取付装置に関する。
【０００２】
【従来の技術】
従来、この種の棚における仕切部材としては、棚板の上面と当接する水平板と、該水平板から立設する仕切板とからなるものや、棚板の上面、およびこの棚板の後側に立設する後面板前面の左右方向に穿設された係合孔に、それぞれ同時に係合する突片を有する仕切板からなるもの等が知られている。
【０００３】
【発明が解決しようとする課題】
しかしながら、前者の仕切板は、棚板の左右方向の任意の位置に仕切板を設置可能である反面、厚さが均一な収納物を収納する場合等において、仕切板を予め設定された間隔に並べたり、それらを所定箇所に確実に維持させておくには不向きであった。
【０００４】
一方後者の仕切板は、棚板の左右方向への設置位置が、棚板と後面板とに穿設される係合孔の位置に限定されるものの、係合孔の位置や間隔を予め収納物に合わせて設定しておくことにより、厚さが均一な収納物を収納するために、仕切板を予め設定された間隔に正確に並べたり、その間隔を棚の使用中において確実に維持することが可能であるが、棚板の上面と後面板前面との左右方向に、係合孔を複数穿設する必要があることから、左右方向に幅狭のスリット状の係合孔の穿設加工が容易である鋼板製の棚では使用され得るが、木材に多数の孔を穿設すると棚板の強度が極端に弱くなり、木質系の棚等では利用しにくかった。
【０００５】
また、収納物により仕切板に働く負荷が、仕切板の突片と係合孔との係止部に直接加わっていたため、突片及び係合孔が変形したり破損し易かった。
【０００６】
本発明は、このような問題点を解決するため、仕切板に負荷が加わっても仕切板や棚板の一部が破損する事なく、所定箇所に確実に維持される棚における仕切部材取付装置を提供することを目的としている。
【０００７】
【課題を解決するための手段】
上記課題を解決するために、本発明の棚における仕切部材取付装置は、棚における棚板の上面左右方向に形成した溝部に、係合孔が複数穿設されたガイドレールを嵌合固定するとともに、前記係合孔と係合する突片が下面より突出された前後方向を向く仕切板と、該仕切板の後端より連設される支持板とからなる仕切部材を設け、前記係合孔と突片とが係合された時、前記支持板の後面側が、棚板の後側に立設される後面板に当接されるようになっていることを特徴としている。
この特徴によれば、仕切部材は、支持板と後面板とを当接させた状態で棚上方より下降させれば、突片と係合孔とが係合されるとともに、支持板と後面板との当接により負荷が分担されるため、設置箇所に確実に保持されるようになっている。位置変更する場合は、仕切部材を上方に持上げれば突片と係合孔との係合を解除した後、再度所望の係合孔内に突片を差込めばよい。このように、突片と係合孔に大きな負荷が働くことがないため、例えば木製の棚に形成された係合孔であっても、その破損を防止することができる。さらに、係合孔が左右方向に複数穿設されたガイドレールが、棚に設けられた溝部に嵌合されるようになっているので、強度が弱く、穿設加工しにくい木製等の棚にも係合孔を容易に設けることができる。
【０００９】
【発明の実施の形態】
以下、本発明の実施形態を図面に基づいて説明していくと、まず図１には本発明実施形態が適用される棚１が示されている。この棚１は、例えば書籍やＣＤ等の商品（収納物）陳列用の棚として用いられるものであり、一部に傾斜辺を有する側板２と、側板２の前端辺に沿って設けられる背板（後面板）３、４、５とにより、前面が開放されるようにそれぞれ形成される上部収納部６、傾斜収納部７、下部収納部８とにより構成されている。
【００１０】
前記上部収納部６、傾斜収納部７内には、それぞれ水平棚９、傾斜棚１０が、起立状態にある利用者の目線（点線表示）方向に対して略水平になるように複数設けられているため、利用者は目線位置を変えることなく各収納部内奥方まで容易に見る事が出来るようになっている。
【００１１】
下部収納部８内には、水平棚１１が設けられるとともに、その前方上部には内部を隠蔽するための前面板１２が垂設されており、利用者からは下部収納部８内が見えにくくなっている。
【００１２】
このように構成される棚１にあっては、主に内部が利用者より見えやすいように配慮される上部収納部６及び傾斜収納部７が適宜商品の陳列棚として利用され、下部収納部８は主に店側で利用できるようになっている。
【００１３】
水平棚９および傾斜棚１０の上面所定位置には、図２〜図４に示されるように左右方向に延びる溝部１３が形成されており、該溝部１３内には断面略コ字状のガイドレール１４が、開口下向きに嵌合されている。溝部１３内に嵌合されたガイドレール１４の水平片１４ａ上面は、水平棚９または傾斜棚１０の上面とほぼ同一面をなすとともに、左右方向には、細長矩形状の係合孔１５が所定間隔おきに複数穿設されている。
【００１４】
１９は仕切部材であって、棚の前後方向を向き、ガイドレール１４の係合孔１５に係合可能な突片１８が下端辺所定箇所より下方に突設される仕切板１７と、仕切板１７の後端より左右方向にそれぞれ連設される支持板１６とから構成される。
【００１５】
このように構成される仕切部材１９は、図２に示されるように、水平棚９上方より、仕切板１７の突片１８を所望の係合孔１５内に差込むことで、仕切部材１９の前方向への逸脱が防止され、水平棚９上面に設置することが出来るようになっているとともに、上方に持上げれば突片１８と係合孔１５との係合が解除されるため、容易に位置変更が出来るようになっている。
【００１６】
突片１８と係合孔１５とが係合された時、図３に示されるように仕切部材１９の支持板１６の後面１６ａが背板３の前端面３ａと当接状態となるため、仕切部材１９の水平棚９上への設置後、適宜収納物等により仕切板１７の先端部に図中点線の矢印で示されるような左右方向の負荷が加わっても、仕切板１７の係合孔１５内に係合された突片１８を中心とした回転が規制され、仕切板１７先端部の左右方向の振れが軽減される。
【００１７】
同じく突片１８と係合孔１５とが係合された時、図４に示されるように仕切部材１９の支持板１６の下端辺１６ｂが、水平板９上面９ａと当接されるため、適宜収納物等により仕切板１７の上端部に図中点線の矢印で示されるような左右方向の負荷が加わっても、仕切板１７の係合孔１５内に係合された突片１８を中心とした仕切部材１９の回転が規制され、仕切板１７上端部の左右方向の振れが軽減される。
【００１８】
よって支持板１６の後面１６ａと背板３の前端面３ａ、及び支持板１６の下端辺１６ｂと水平板９上面９ａとの当接により、仕切板１７の振れが確実に規制され、安定するとともに、突片１８と係合孔１５との係合部にかかる負荷が分散されるので、突片１８若しくは係合孔１５の損傷および変形等が生じにくくなる。なお、この支持板１６を左右方向に長寸に形成すれば、各当接面積が大となり、前記係合箇所に加わる負荷がより分散される。
【００１９】
このように本発明実施形態としての棚における仕切部材取付装置にあっては、係合孔１５が左右方向に複数穿設されたガイドレール１４が、棚に設けられた溝部１３内に嵌合されるようになっているので、強度が弱く、穿設加工のしにくい木製等の棚にも係合孔を容易に設けることができる。また、仕切部材１９は、支持部材１６の後面１６ａと背板３の前端面３ａとを当接させた状態で、水平棚９上方より下降させれば、突片１８と係合孔１５とが係合され、設置箇所に確実に保持されるようになっている。位置変更する場合は、仕切部材１９を上方に持上げれば突片１８と係合孔１５との係合を解除した後、再度所望の係合孔１５内に突片１８を差込めばよい。
【００２０】
図５（ａ）、（ｂ）には、本発明の他の実施形態が示されており、本実施形態における係合孔１５は、前述の実施形態中の係合孔よりも前後方向に長寸であるとともに、係合孔１５内には、後側に向けて下方に傾斜する傾斜面１５ａが形成されている。また、仕切板１７の突片１８の下端は前記傾斜面１５ａに摺接可能な傾斜状に形成されている。
【００２１】
このように係合孔１５が前後方向の長寸に形成されることで、突片１８の係合孔１５内への嵌合が、前方より突片１８下端を滑らせるようにして容易に行なえるようになる。また、突片１８の下端が傾斜面１５ａに摺接可能な傾斜状に形成されていることで、仕切部材１９を常に背板３方向に移動せしめ、前方への逸脱が防止されるとともに、支持部材１６の後面１６ａと背板３の前面３ａとが常に当接されるようになっている。
【００２２】
以上、本発明の実施形態を図面により説明してきたが、具体的な構成はこれら実施形態に限られるものではなく、本発明の要旨を逸脱しない範囲における変更や追加があっても本発明に含まれる。
【００２３】
【発明の効果】
本発明は次の効果を奏する。
【００２４】
（ａ）請求項１の発明によれば、仕切部材は、支持板と後面板とを当接させた状態で棚上方より下降させれば、突片と係合孔とが係合されるとともに、支持板と後面板との当接により負荷が分担されるため、設置箇所に確実に保持されるようになっている。位置変更する場合は、仕切部材を上方に持上げれば突片と係合孔との係合を解除した後、再度所望の係合孔内に突片を差込めばよい。このように、突片と係合孔に大きな負荷が働くことがないため、例えば木製の棚に形成された係合孔であっても、その破損を防止することができる。さらに、係合孔が左右方向に複数穿設されたガイドレールが、棚に設けられた溝部に嵌合されるようになっているので、強度が弱く、穿設加工しにくい木製等の棚にも係合孔を容易に設けることができる。
【００２６】
【図面の簡単な説明】
【図１】本発明の実施形態としての棚装置を示す斜視図である。
【図２】図１の要部拡大斜視図である。
【図３】仕切部材が棚へ取付られた状態を示す要部平面図である。
【図４】仕切部材が棚へ取付られた状態を示す要部正面図である。
【図５】（ａ）は本発明の他の実施形態としての仕切部材の棚への取付状態を示す断面図であり、（ｂ）は（ａ）の平面図である。
【符号の説明】
１                棚
２                側板
３、４、５        背板（後面板）
３ａ              前端面
６                上部収納部
７                傾斜収納部
８                下部収納部
９、１１          水平板
９ａ              上面
１０                傾斜板
１２                前面板
１３                溝部
１４                ガイドレール
１４ａ              水平片
１５                係合孔
１５ａ              傾斜面
１６                支持部材
１６ａ              後面
１６ｂ              下端面
１７                仕切板
１８                突片
１９                仕切部材
【図１】
0003929542.tif 000002
【図２】
0003929542.tif 000003
【図３】
0003929542.tif 000004
【図４】
0003929542.tif 000005
【図５】
0003929542.tif 000006